(57)【特許請求の範囲】
【請求項１】
光源と、前記光源を収容するケース部と、前記ケース部の壁面上に敷設されて前記光源からの光を反射する反射材と、前記ケース部の壁面に取り付けられて前記光源および前記反射材を保持する光源保持具と、を備える表示装置用照明装置であって、
前記光源保持具には、ケース部の壁面に密着される密着固定部と、この密着固定部の周囲に前記壁面から離間しつつこの壁面に沿って延出されるとともに前記反射材上に張り出す覆い部と、前記密着固定部または前記覆い部に設けられて前記光源を保持可能な光源保持部とが備えられるとともに、
前記反射材の縁部と前記密着固定部との間には前記反射材の面方向への位置ずれを許容するクリアランスが設けられていることを特徴とする表示装置用照明装置。
【請求項２】
前記光源保持具が前記光源の両端部よりも中心寄りの位置を保持する中心側光源保持具であって、前記反射材には前記光源保持具の密着固定部を挿通可能な取付孔が設けられ、この取付孔の孔縁と前記密着固定部との間に前記クリアランスが設けられるものであることを特徴とする請求の範囲第１項に記載の表示装置用照明装置。
【請求項３】
前記光源保持具が、前記光源の両端部を保持する端部側光源保持具であって、前記密着固定部が前記ケース部において前記反射材の端縁よりも外側位置に固定されるとともに前記覆い部が前記密着固定部から前記反射材の中心側へ向かって延設され、前記反射材の端縁と前記密着固定部との間に前記クリアランスが設けられるものであることを特徴とする請求の範囲第項１項に記載の表示装置用照明装置。
【請求項４】
前記ケース部には、前記光源の端部位置に設けられて前記ケース部の内側方向へ向かって下るとともに前記光源からの光を反射する傾斜壁部が設けられ、前記端部側光源保持具がこの傾斜壁部の外側に設けられるものであるとともに、
前記覆い部において前記ケース部の内側方向を向く面が前記傾斜壁部に沿う傾斜面とされていることを特徴とする請求の範囲第３項に記載の表示装置用照明装置。
【請求項５】
前記光源保持具は高分子材料により成形されていることを特徴とする請求の範囲第１項〜請求の範囲第４項のいずれかに記載の表示装置用照明装置。
【請求項６】
前記光源保持具が白色であることを特徴とする請求の範囲第１項〜請求の範囲第４項のいずれかに記載の表示装置用照明装置。
【請求項７】
前記光源保持具が乳白色であることを特徴とする請求の範囲第１項〜請求の範囲第４項のいずれかに記載の表示装置用照明装置。
【請求項８】
前記光源保持具が透明であることを特徴とする請求の範囲第１項〜請求の範囲第４項のいずれかに記載の表示装置用照明装置。
【請求項９】
表示用パネルと、前記表示用パネルの背面側に設けられてこの表示用パネルの照明を行う表示装置用照明装置とを備えた表示装置であって、
前記表示装置用照明装置は、光源と、前記表示用パネル側に開口するとともに前記光源を収容するケース部と、前記ケース部の壁面上に敷設されて前記光源からの光を反射する反射材と、前記ケース部の壁面に取り付けられて前記光源および前記反射材を保持する光源保持具と、を備え、
前記光源保持具には、ケース部の壁面に密着される密着固定部と、この密着固定部の周囲に前記壁面から離間しつつこの壁面に沿って延出されるとともに前記反射材上に張り出す覆い部と、前記密着固定部または前記覆い部に設けられて前記光源を保持可能な光源保持部とが備えられるとともに、
前記反射材の縁部と前記密着固定部との間には前記反射材の面方向への位置ずれを許容するクリアランスが設けられていることを特徴とする表示装置。
【請求項１０】
前記表示用パネルが電気的に電磁波の偏向性を制御される構成とされていることを特徴とする請求の範囲第９項に記載の表示装置。
【請求項１１】
前記表示用パネルが物理的または機械的シャッタリング方式によって電磁波の強度を制御する構成とされていることを特徴とする請求の範囲第９項に記載の表示装置。
【請求項１２】
前記表示用パネルが液晶パネルであり、前記表示装置が液晶表示装置である請求の範囲第９項〜請求の範囲第１１項のいずれかに記載の表示装置。
【請求項１３】
請求の範囲第１項〜請求の範囲第８項のいずれかに記載の表示装置用照明装置と、光学部材と、自発光素子を有しない受動型の表示パネルとを積層配置していることを特徴とする表示装置。
【発明の詳細な説明】
【技術分野】
【０００１】
本発明は、表示装置用照明装置、および表示装置に関する。
【背景技術】
【０００２】
液晶表示装置等の非発光表示装置においては、その照明のためにパネルの背面にバックライトユニットが設けられる（例えば特許文献１参照）。このバックライトユニットは、浅皿状に形成された金属製のケースの内部に冷陰極管等の光源が多数が並列して収容されたものである。これらの光源は、クリップやホルダ等の保持具によってケースの底面に固定される。【０００３】
ところで、このケースの内部には、光源からの光を反射してパネル側に供給するために、樹脂製の反射シートが敷設されることがある。この反射シートは、光源を固定している保持具とケースの底面との間で挟み込まれることによって、ケースの底面に固定される。
【特許文献１】特開平６−９５１１０号公報
【発明の開示】
【発明が解決しようとする課題】
【０００４】
ところが、表示装置の稼動時には光源からの熱によってケースの内部が高温となるため、装置の稼動−停止の繰り返しに伴ってケース内部の温度が大きく上下し、この温度変化に伴ってケースや反射シートが伸縮する。ここで、熱膨張率は金属製のケースに比較して樹脂製の反射シートの方が大であるため、反射シートの伸縮にケースが追従できず、保持具の周囲で反射シートに撓みが発生したり、シートの端部が保持具から外れてめくれ上がったりすることがあった。【０００５】
また、反射シート製造時の寸法公差によって保持具による固定位置に対しての位置ずれが生じた場合などにおいても、反射シートに撓みやめくれが発生することがあった。【０００６】
本発明は、上記した事情に鑑みてなされたものであり、その目的は、反射材の撓みや捲れを抑制できる表示装置用照明装置、および表示装置を提供することにある。
【課題を解決するための手段】
【０００７】
上記の課題を解決するための請求の範囲第１項の発明に係る表示装置用照明装置は、光源と、前記光源を収容するケース部と、前記ケース部の壁面上に敷設されて前記光源からの光を反射する反射材と、前記ケース部の壁面に取り付けられて前記光源および前記反射材を保持する光源保持具と、を備える表示装置用照明装置であって、前記光源保持具には、ケース部の壁面に密着される密着固定部と、この密着固定部の周囲に前記壁面から離間しつつこの壁面に沿って延出されるとともに前記反射材上に張り出す覆い部と、前記密着固定部または前記覆い部に設けられて前記光源を保持可能な光源保持部とが備えられるとともに、前記反射材の縁部と前記密着固定部との間には前記反射材の面方向への位置ずれを許容するクリアランスが設けられていることを特徴とする。
なお、本発明において反射材の「縁部」とは、反射材の端縁（外周縁）は勿論、この反射材に光源保持具取り付けのための孔やスリット等が設けられている場合において、この孔の孔縁、スリットの内周縁等を含むものとする。【０００８】
請求の範囲第２項の発明は、請求の範囲第１項に記載の表示装置用照明装置であって、前記光源保持具が前記光源の両端部よりも中心寄りの位置を保持する中心側光源保持具であって、前記反射材には前記光源保持具の密着固定部を挿通可能な取付孔が設けられ、この取付孔の孔縁と前記密着固定部との間に前記クリアランスが設けられるものであることを特徴とする。【０００９】
請求の範囲第３項の発明は、請求の範囲第１項に記載の表示装置用照明装置であって、前記光源保持具が、前記光源の両端部を保持する端部側光源保持具であって、前記密着固定部が前記ケース部において前記反射材の端縁よりも外側位置に固定されるとともに前記覆い部が前記密着固定部から前記反射材の中心側へ向かって延設され、前記反射材の端縁と前記密着固定部との間に前記クリアランスが設けられるものであることを特徴とする。【００１０】
請求の範囲第４項の発明は、請求の範囲第３項に記載の表示装置用照明装置であって、前記ケース部には、前記光源の端部位置に設けられて前記ケース部の内側方向へ向かって下るとともに前記光源からの光を反射する傾斜壁部が設けられ、前記端部側光源保持具がこの傾斜壁部の外側に設けられるものであるとともに、前記覆い部において前記ケース部の内側方向を向く面が前記傾斜壁部に沿う傾斜面とされていることを特徴とする。【００１１】
請求の範囲第５項の発明は、請求の範囲第１項〜請求の範囲第４項のいずれかに記載の表示装置用照明装置であって、前記光源保持具は高分子材料により成形されていることを特徴とする。なお、高分子材料としては、例えば合成樹脂、ゴム等が挙げられる。
請求の範囲第６項の発明は、請求の範囲第１項〜請求の範囲第４項のいずれかに記載の表示装置用照明装置であって、前記光源保持具が白色であることを特徴とする。
請求の範囲第７項の発明は、請求の範囲第１項〜請求の範囲第４項のいずれかに記載の表示装置用照明装置であって、前記光源保持具が乳白色であることを特徴とする。
請求の範囲第８項の発明は、請求の範囲第１項〜請求の範囲第４項のいずれかに記載の表示装置用照明装置であって、前記光源保持具が透明であることを特徴とする。【００１２】
請求の範囲第９項の発明は、表示用パネルと、前記表示用パネルの背面側に設けられてこの表示用パネルの照明を行う照明装置を備えた表示装置であって、前記照明装置は、光源と、前記表示用パネル側に開口するとともに前記光源を収容するケース部と、前記ケース部の壁面上に敷設されて前記光源からの光を反射する反射材と、前記ケース部の壁面に取り付けられて前記光源および前記反射材を保持する光源保持具と、を備え、前記光源保持具には、ケース部の壁面に密着される密着固定部と、この密着固定部の周囲に前記壁面から離間しつつこの壁面に沿って延出されるとともに前記反射材上に張り出す覆い部と、前記密着固定部または前記覆い部に設けられて前記光源を保持可能な光源保持部とが備えられるとともに、前記反射材の縁部と前記密着固定部との間には前記反射材の面方向への位置ずれを許容するクリアランスが設けられていることを特徴とする。【００１３】
請求の範囲第１０項の発明は、請求の範囲第９項に記載の表示装置であって、前記表示用パネルが電気的に電磁波の偏向性を制御される構成とされていることを特徴とする。
請求の範囲第１１項の発明は、請求の範囲第９項に記載の表示装置であって、前記表示用パネルが物理的または機械的シャッタリング方式によって電磁波の強度を制御する構成とされていることを特徴とする。【００１４】
請求の範囲第１２項の発明は、請求の範囲第９項〜請求の範囲第１１項のいずれかに記載の表示装置であって、前記表示用パネルが液晶パネルであり、前記表示装置が液晶表示装置であることを特徴とする。
請求の範囲第１３項の発明は、請求の範囲第１項〜請求の範囲第８項のいずれかに記載の表示装置用照明装置と、光学部材と、自発光素子を有しない受動型の表示パネルとを積層配置していることを特徴とする表示装置である。
【発明の効果】
【００１５】
請求の範囲第１項、第５項、および第９項〜第１３項の発明によれば、熱膨張に伴う面方向への伸び変形、抜き公差による寸法のばらつきを吸収できるから、反射材の撓みやめくれを防止できる。【００１６】
請求の範囲第２項の発明によれば、反射材における端部よりも中心側の位置においてこの反射材を光源保持具によって押さえる場合に、反射材の伸び変形や抜き公差による寸法のばらつきに起因する反射材の撓み等を防止できる。【００１７】
請求の範囲第３項の発明によれば、反射材の端部位置においてこの反射材を光源保持具によって押さえる場合に、反射材の伸び変形や抜き公差による寸法のばらつきに起因する反射材の撓み等を防止できる。【００１８】
請求の範囲第４項の発明によれば、端部側光源保持具において覆い部の内側面は傾斜壁部に沿う傾斜面とされている。
ここで、光源の両端部付近においては光の表示装置側への反射率を向上させて輝度が落ちることを防止するために、光源からの光を反射する反射材によって形成された傾斜壁部が設けられることがある。このような構成のものにおいては、覆い部の内側面を傾斜壁部に沿って傾斜させることで、傾斜壁部ぎりぎりまで覆い部を延設することができる。これにより、発光面の有効面積を減少させることなく、シートの伸びを許容するクリアランスを確保することができる。また、覆い部の張り出し長さを大きく採ることができるから、反射材が縮み変形した際などにその端部が覆い部から外れてめくれ上がることを確実に防止できる。【００１９】
請求の範囲第６項〜第８項の発明によれば、光源からの光が光源保持具から反射、または光源保持具を透過するから、この光源保持具によって光が遮られることによる輝度の低下等の不具合を回避することができる。
【図面の簡単な説明】
【００２０】
【図１】図１は液晶ディスプレイの分解斜視図である。
【図２】図２は液晶ディスプレイの側断面図である。
【図３】図３はバックライトユニットの部分拡大図である。
【図４】図４はゴムホルダの斜視図である。
【図５】（Ａ）図５Ａはゴムホルダをケースの内側方向から見た図である。（Ｂ）図５Ｂはゴムホルダの側断面図である。
【図６】図６はケースに取り付け前のゴムホルダおよびランプホルダを示す側断面図である。
【図７】図７はケースに取り付け後のゴムホルダおよびランプホルダを示す側断面図である。
【図８】（Ａ）図８Ａはランプクリップの側面図である。（Ｂ）図８Ｂはランプクリップの背面図である。
【図９】図９はケースに取り付け前のランプクリップを示す側断面図である。
【図１０】図１０はケースに取り付け後のランプクリップを示す側断面図である。
【符号の説明】
【００２１】
１…液晶ディスプレイ（表示装置）
１０…液晶パネル（表示用パネル）
２０…バックライトユニット（表示装置用照明装置）
２１…バックライトケース（ケース部）
２２Ａ…内壁面（壁面）
３１…反射シート（反射材）
３１Ａ…端縁
３３…取付孔
３３Ａ…孔縁
４２Ａ…側壁部（傾斜壁部）
５１…ゴムホルダ（端部側光源保持具）
５２…管保持部（光源保持部）
５５…台部（密着固定部）
５６…シート覆い部（覆い部）
６１…ランプクリップ（中心側光源保持具）
６２…本体部（覆い部）
６３…クリップ部（光源保持部）
６６…支持台部（密着固定部）
８１…冷陰極管（光源）
【発明を実施するための最良の形態】
【００２２】
以下、本発明を具体化した実施形態について、図１〜図１０を参照しつつ詳細に説明する。【００２３】
図１には、本発明を具体化した液晶ディスプレイ１（本発明の表示装置に該当する）の分解斜視図を、図２には、この液晶ディスプレイ１の側断面図を示す。この液晶ディスプレイ１は、液晶パネル１０（本発明の表示用パネルに該当する）と、この液晶パネル１０の背面側から組み付けられるバックライトユニット２０（本発明の表示装置用照明装置に該当する）とを備え、これらがベゼル１３により一体に保持されるようになっている。なお、以下の説明において、液晶パネル１０の表示面側（図１の上方）を正面側、これとは逆側（図１の下方）を背面側とする。【００２４】
液晶パネル１０は、詳細には図示しないが、画素を形成するためのスイッチング素子（例えばＴＦＴ）、画素電極等をマトリックス状に設けた矩形板状のガラス基板１１の一対が所定のギャップを空けた状態で張り合わせられるとともに、両ガラス基板１１Ａ、１１Ｂ間に液晶が封入された周知の構成のものである。両ガラス基板１１Ａ、１１Ｂの外側面（液晶層とは反対側の面）には、それぞれガラス基板１１Ａ、１１Ｂとほぼ同じ大きさに形成された偏光板１２Ａ、１２Ｂが積層されている。【００２５】
この液晶パネル１０の背面側に取り付けられるバックライトユニット２０は、液晶パネル１０の背面に光源が配置される直下型のものであって、金属製のバックライトケース２１（本発明のケース部に該当する。以下、「ケース２１」と略記する）と、このケース２１内に収容される複数本の冷陰極管８１（本発明の光源に該当する）と、ケース２１の開口部に取り付けられる光学部材７１とを備えている。【００２６】
ケース２１は、液晶パネル１０とほぼ等しい大きさに形成された矩形板状の底板部２２と、この底板部２２の４辺からそれぞれ正面側に向かって立ち上げられた側壁部２３とを備えて、全体として正面側が開口した略浅皿状に形成されている。このケース２１の両短辺部には、短辺側側壁部２３Ａの立ち上がり端から底板部２２の短辺部よりやや中心側位置に至るまで切り欠かれて後述のゴムホルダ５１を嵌め入れ可能な嵌め付け溝２４が、均等ピッチで多数設けられている。【００２７】
このケース２１内には、後述の冷陰極管８１からの光を反射するための反射シート３１（本発明の反射材に該当する）が敷設されている。反射シート３１は、合成樹脂により形成された白色のシートであって、同形状に形成された２枚の分割シート３２を互い違いに組み合わせたものである。各分割シート３２は、ケース２１の底板部２２に整合する底板側シート片３２Ａがその長尺方向中央位置で二分割され、各分割片における長辺部に、ケース２１における長辺側の側壁部２３に整合する側壁側シート片３２Ｂがそれぞれ接合したものである。【００２８】
この反射シート３１上には、光源である冷陰極管８１が設けられている。この冷陰極管８１はケース２１の長辺方向に細長い管体により構成され、ケース２１の短辺方向に沿って複数本が並列されている。この冷陰極管８１の端部には、詳細には図示しないが、電極部が設けられ、この電極部からは電線８２が導出されている。【００２９】
この冷陰極管８１の両端部はケース２１の両短辺部に設置されたゴムホルダ５１（本発明の端部側光源保持具に該当する）に保持されるとともに、このゴムホルダ５１ごとランプホルダ４１によって一括して覆われている。また、冷陰極管８１の両端部よりもやや中央寄りの位置はランプクリップ６１（本発明の中心側光源保持具に該当する）によって保持されている（図３参照）。【００３０】
ランプホルダ４１は光源からの光を反射可能なように白色の合成樹脂により形成されたものであって、ケース２１の両短辺部に沿うように一対が設けられている。各ランプホルダ４１は、ケース２１の短辺方向に沿って細長に形成されるとともに、背面側（ケース２１の底板部２２と対向する面側）に開口した略容器状をなしている。このランプホルダ４１においてケース２１の短辺方向と平行な一対の側壁部４２のうち内側の側壁部４２Ａ（本発明の傾斜壁部に該当する）は、底板部２２側に行くほど内側に傾斜している。このように傾斜が設けられているのは、冷陰極管８１の端部付近における出射光の液晶パネル１０側への反射率を向上させることによって、端部側での輝度が落ちることを防止するためである。また、この側壁部４２Ａには、底壁部２２側に開口して冷陰極管８１の管体が進入可能なランプ用スリット部４３が均等ピッチで設けられている。また、上記一対の側壁部４２のうち外側の側壁部４２Ｂには、底壁部２２側に開口して後述のゴムホルダ５１を受入可能なホルダ用スリット部４４が均等ピッチで設けられている。【００３１】
このランプホルダ４１の内部には、例えばシリコンゴムにより形成されたゴムホルダ５１が収容されている。ゴムホルダ５１は、冷陰極管８１の端部を保持する管保持部５２（本発明の光源保持部に該当する）と、この管保持部５２の背面側に形成された電線導出部５７とを備えている（図４、図５参照）。【００３２】
管保持部５２は、全体としてブロック状に形成されるとともに、その背面（底板部２２と対向する側の面）付近には両側方に張り出したつば部５３が設けられている。この管保持部５２には、ケース２１に取り付けられた際に内側を向く面に開口して冷陰極管８１の電極部を挿通可能な光源受入孔５４が設けられている。【００３３】
この管保持部５２の背面においてほぼ外側半分の領域は、段差を介してその内側領域よりも僅かに背面側に厚く形成されている。なお、この段差部分の高低差は、反射シート３１の厚みよりも僅かに大きくされている。外側の厚肉部分はケース２１の底板部２２に密着固定される台部５５（本発明の密着固定部に該当する）とされる一方、内側の薄肉部分は反射シート３１から僅かに浮いた状態でこの反射シート３１上に張り出すシート覆い部５６（本発明の覆い部に該当する）とされている。このシート覆い部５６の張り出し端はランプホルダ４１における内側の側壁部４２Ａに達するまで延ばされており、その端面は側壁部４２Ａの傾斜に合わせて傾斜する傾斜面とされている。【００３４】
また、管保持部５２の背面において外側の端部付近には、背面側に向かって張り出す厚板状の電線導出部５７が設けられている。この電線導出部５７には、背面側に開口した電線受入孔５８が設けられている。この電線受入孔５８と管保持部５２の光源受入孔５４とはその奥側で連通しており、光源受入孔５４に挿入された冷陰極管８１の電極部に接続された電線８２が電線受入孔５８から背面側へ導出されるようになっている。【００３５】
また、台部５５の背面には、ゴムホルダ５１をケース２１に止め付けるための止め部５９が設けられている。この止め部５９は略角柱状に形成されて背面側に向かって突出するとともに、その側面には、基端部からケース２１の底板部２２の厚さ分だけ背面寄りの位置に、側方に張り出す段部６０が設けられている。【００３６】
このゴムホルダ５１は、台部５５の背面がケース２１の底板部２２に密着し、電線導出部５７の内側面が底板部２２における嵌め付け溝２４の奥端部に突き当たるようにして設置されている（図６、図７参照）。そして、止め部５９がケース２１における対応位置に貫通して設けられた止め孔２６に対して挿入され、段部６０が止め孔２６における孔縁背面に対して係止することで、ゴムホルダ５１が底板部２２に係止される。この状態では、反射シート３１がシート覆い部５６と底板部２２との隙間に進入し、その端縁３１Ａが台部５５とシート覆い部５６との段差部分よりもやや内側に位置している。ここで、反射シート３１の端縁３１Ａと台部５５との間には所定のクリアランスＣが確保されており、熱による反射シート３１のシート面方向での伸縮が許容されるようになっている。このクリアランスＣは、液晶ディスプレイ１を通常に使用している場合において、バックライトユニット２０内部の温度が最も上昇したとき（約８０℃）の反射シート３１の最大伸び長さ分以上に設定すればよく、具体的には、反射シート３１のサイズにもよるが２ｍｍ程度であれば良いと考えられる。また、シート覆い部５６の張り出し長さは周囲温度の低下等に伴ってバックライトユニット２０内部の温度が低下した際に収縮した反射シート３１の端縁３１Ａがシート覆い部５６から外れない程度の長さであれば良い。【００３７】
ランプクリップ６１は、ケース２１の底板部２２における内壁面２２Ａ（本発明の壁面に該当する）側に取り付けられて、冷陰極管８１をその両端部よりも中央寄りの位置で保持するものである。各ランプクリップ６１は、冷陰極管８１を２列一組で保持可能なものであって、一組（２列）の冷陰極管８１毎に２箇所ずつ設けられているとともに、隣り合う組の冷陰極管８１を支持するランプクリップ６１が互い違いとなるようにして配置されている。【００３８】
このランプクリップ６１は、底板部２２の短辺方向（冷陰極管８１の長さ方向と直交方向）に沿って細長い矩形板状をなす本体部６２（本発明の覆い部に該当する）を備えている。この本体部６２の正面側（底板部２２と対向する面側と逆側）には、冷陰極管８１を保持するためのクリップ部６３が、この本体部６２の長尺方向に沿って２個並列されている（図９、図１０参照）。クリップ部６３は、互いに本体部６２の長尺方向に沿って拡開可能な一対の環状片６４を備えて、全体として周方向の一部が開口するＣ字リング状に形成されている。一対の環状片６４の先端部分には、互いに離間方向に屈曲されて冷陰極管８１のクリップ部６３への装着動作を案内するガイド部６４Ａが設けられている。環状片６４の開口部分から冷陰極管８１が押し込まれると、両環状片６４が拡開変形してこの冷陰極管８１の通過を許容し、冷陰極管８１が内部に進入すると両環状片６４が弾性復帰して冷陰極管８１の外周に弾接することでこの冷陰極管８１を保持する。【００３９】
また、２つのクリップ部６３の間には、先端方向が先細りとなる円錐状のピン６５が設けられている。このピン６５はケース２１の開口付近まで延設されており、後述の光学部材７１を背面側から支持する。【００４０】
さらに、本体部６２の背面側（ケース２１の底板部２２と対向する面側）には、一対の支持台部６６（本発明の密着固定部に該当する）が設けられている。この支持台部６６は薄い円盤状をなし、一対のクリップ部６３の裏側に相当する位置にそれぞれ設けられている。なお、この支持台部６６の厚さは、反射シート３１の厚みよりも僅かに大きくされている。【００４１】
また、この支持台部６６の背面側には、それぞれランプクリップ６１を底板部２２に固定するための係止部６７が設けられている。係止部６７は、支持台部６６から背面側へ垂設された基部６８と、この基部６８の先端部から斜め上方へ、すなわち基部６８から離間しつつ支持台部６６側へ向けて延出する一対の弾性係止片６９とから構成される。両弾性係止片６９は、基部６８の先端部両側面に連結された片持ち状に形成され、その連結部分を支点として基部６８に対して接離する方向に沿って弾性変形可能とされている。【００４２】
一方、ケース２１の底板部２２には、各ランプクリップ６１の取付位置においてこの係止部６７に対応する位置にそれぞれ一対の挿入孔２５が設けられている。各挿入孔２５はランプクリップ６１の支持台部６６よりもやや小径に形成されており、係止部６７の通過を許容するが支持台部６６の通過を許容しないようになっている。また、この底板部２２上に敷設される反射シート３１にも、各ランプクリップ６１の取付位置にそれぞれ一対の取付孔３３が設けられている。この取付孔３３は支持台部６６よりもやや大径に形成されており、係止部６７と支持台部６６の通過を許容するようになっている。ランプクリップ６１は反射シート３１の上から底板部２２に取り付けられ、その支持台部６６が挿入孔２５を塞ぐようにして底板部２２に密着する。そして、係止部６７が挿入孔２５に挿入され、弾性係止片６９における先端部に形成された段部が挿入孔２５における裏側の周縁に対して係止されることで、ランプクリップ６１が底板部２２に対して係止される。このとき、ランプクリップ６１は、支持台部６６の厚さ分だけ本体部６２が底板部２２から浮いた状態となり、本体部６２が反射シート３１における取付孔３３の周辺領域の上に張り出している。そして、取付孔３３の孔縁３３Ａと支持台部６６との間には所定のクリアランスＣが確保され、これにより、熱による反射シート３１のシート面方向での伸縮が許容されるようになっている。【００４３】
このケース２１の開口部には、線光源である冷陰極管８１からの光を拡散して面状の均一な光として液晶パネル１０側に出射するための光学部材７１が、この開口部を覆うように取り付けられている。この光学部材７１は、拡散シート７２、レンズシート７３、光学シート７４、拡散板７５がこの順に正面側から重ねられたものである。各シート７２、７３、７４、７５は液晶パネル１０とほぼ同じ大きさの矩形状に形成されて、ランプクリップ６１のピン６５によって背面側から支持されている。また、その正面側及び背面側には、この光学部材７１の取り付けのための枠状のフレーム７６がそれぞれ配されている。【００４４】
また、ケース２１の背面には、冷陰極管８１の点灯制御等を行うためのインバータユニット９１、外部回路ユニット９２が取り付けられている。【００４５】
次に、上記のように構成された本実施形態の作用および効果について説明する。【００４６】
液晶ディスプレイ１を組み立てる際には、ケース２１の底板部２２上に反射シート３１を敷設し、この反射シート３１の上からランプクリップ６１の係止部６７を挿入孔２５に挿入することで、ランプクリップ６１を底板部２２に固定する。次いで、端部にゴムホルダ５１を取り付けた冷陰極管８１をケース２１内に並列し、冷陰極管８１の管体をランプクリップ６１のクリップ部６３に嵌め付ける。これとともに、ゴムホルダ５１をケース２１の嵌め付け溝２４に嵌め付け、止め部５９を止め孔２６に係合することによって固定する。【００４７】
ここで、反射シート３１製造時における抜き型の抜き公差等によって、全体の寸法や取付孔３３の位置に多少の誤差が生じることがある。しかし、反射シート３１の端縁３１Ａにおいては、この反射シート３１の外側に位置して底板部２２に密着固定されるゴムホルダ５１の台部５５との間にクリアランスＣが設けられており、ある程度の寸法誤差が許容されるようになっている（図７参照）。また、取付孔３３周りにおいては、取付孔３３がランプクリップ６１において底板部２２に密着される支持台部６６よりも一回り大きく形成されることによって、取付孔３３の孔縁３３Ａと支持台部６６との間には所定のクリアランスＣが設定されており、ある程度の位置ずれが許容されるようになっている（図１０参照）。これにより、反射シート３１が撓んだりしわになったりすることを防止できる。【００４８】
冷陰極管８１を取り付けたら、ランプ用スリット部４３およびホルダ用スリット部４４にそれぞれ冷陰極管８１の管体およびゴムホルダ５１の管保持部５２が収容されるようにして、ランプホルダ４１をケース２１に嵌め付ける。これとともに、光学部材７１、フレーム７６、インバータユニット９１、外部回路ユニット９２をケース２１に組み付けることで、バックライトユニット２０の組み付けが完了する。最後に、このバックライトユニット２０を液晶パネル１０の背面側から組み付け、ベゼル１３により固定することで、液晶ディスプレイ１が完成する。【００４９】
この液晶ディスプレイ１を使用する際には、バックライトユニット２０に設けられた冷陰極管８１から出射した光が、直接に、および、背面側の反射シート３１によって反射されて光学部材７１に入射され、この光学部材７１によって拡散された状態で液晶パネル１０の背面側から照射されることによって、液晶パネル１０上の表示が視認される。【００５０】
このとき、冷陰極管８１の発熱によって、ケース２１内部の温度が徐々に上昇し、これに伴って反射シート３１およびケース２１が熱膨張する。ここで、熱膨張率は金属製のケース２１に比較して樹脂製の反射シート３１の方が大であるため、反射シート３１の方がケース２１に対して大きく伸び変形する。一方、冬場などの寒い時期においては、環境温度の低下により反射シート３１およびケース２１が収縮する。この場合も、熱膨張率の差により反射シート３１の方がケース２１に対して大きく縮み変形する。このため、ケース２１が反射シート３１の変形に追従できず、反射シート３１に撓みやしわ等が生じることが懸念される。【００５１】
しかし、上述したように、反射シート３１の端縁３１Ａにおいては、ゴムホルダ５１の台部５５との間にクリアランスＣが確保されており（図７参照）、また、取付孔３３周りにおいては、取付孔３３の孔縁３３Ａとランプクリップ６１の支持台部６６との間にクリアランスＣが確保されている（図１０参照）。したがって、このクリアランスＣにより反射シート３１のシート面方向への伸縮変形を吸収できるから、反射シート３１が撓んだりしわになったりすることを防止できる。【００５２】
加えて、ゴムホルダ５１におけるシート覆い部５６の内側面をランプホルダ４１における側壁部４２Ａの傾斜に沿って傾斜させることで、側壁部４２Ａぎりぎりまでシート覆い部５６を延設することができる。すなわち、シート覆い部５６の張り出し端面を傾斜させることによりこのシート覆い部５６の背面側（反射シート３１側）の先端部をランプホルダ４１の壁面ぎりぎりまで伸ばすことができる。これにより、ランプホルダ４１を大型化することなく（すなわち、発光面の有効面積を減少させることなく）、反射シート３１上に張り出すシート覆い部５６を形成することができる。また、シート覆い部５６の張り出し長さを大きく採ることができるから、反射シート３１が縮み変形した際にその端縁３１Ａがシート覆い部５６から外れてめくれ上がることを確実に防止できる。【００５３】
以上のように本実施形態によれば、反射シート３１の端縁３１Ａにおいては、この反射シートの外縁に位置して底板部２２に密着固定されるゴムホルダ５１の台部５５との間にクリアランスＣが設けられており、また、取付孔３３周りにおいては、取付孔３３の孔縁３３Ａとランプクリップ６１の支持台部６６との間に所定のクリアランスＣが設定されている。したがって、このクリアランスＣにより反射シート３１の熱膨張に伴うシート面方向への伸び変形や抜き公差による寸法のばらつきを吸収できるから、反射シート３１の撓みやめくれを防止できる。【００５４】
また、ゴムホルダ５１におけるシート覆い部５６の内側面をランプホルダ４１における側壁部４２Ａの傾斜に沿って傾斜させることで、側壁部４２Ａぎりぎりまでシート覆い部５６を延設することができる。すなわち、シート覆い部５６の張り出し端面を傾斜させることによりこのシート覆い部５６の背面側（反射シート３１側）の先端部をランプホルダ４１の壁面ぎりぎりまで伸ばすことができる。これにより、発光面の有効面積を減少させることなく反射シート３１の伸びを許容するクリアランスＣをできるだけ大きく採り、反射シート３１の端部がシート覆い部５６から外れてめくれ上がることを確実に防止できる。【００５５】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）ランプクリップにおける密着固定部の形状は、本実施形態においては係止部６７の基端部に設けられた円盤状の支持台部６６であったが、本体部を底板部から離間した状態で支持できるものであればいかなる形状でも良く、例えば矩形状、枠状などであっても良い。また、係止部６７から離間した位置に設けられていても構わない。
（２）本実施形態のランプクリップは、冷陰極管を２列１組で支持するものであったが、ランプクリップの構成は本実施形態の限りではなく、例えば冷陰極管の１列あるいは３列以上を一組で支持するものであってもよい。また、ゴムホルダについても、冷陰極管の２列以上を一組で支持するものであっても構わない。
（３）上記実施形態は、本発明を液晶ディスプレイ１に適用したものであったが、液晶表示装置に限らず、表示用パネルの裏面側にバックライト装置を備えた表示装置であれば本発明を適用可能である。
【図１】
0004452723.tif 000002
【図２】
0004452723.tif 000003
【図３】
0004452723.tif 000004
【図４】
0004452723.tif 000005
【図５】
0004452723.tif 000006
【図６】
0004452723.tif 000007
【図７】
0004452723.tif 000008
【図８】
0004452723.tif 000009
【図９】
0004452723.tif 000010
【図１０】
0004452723.tif 000011